(57)【要約】      （修正有）【課題】店舗等においてワイヤ張架構造を出っ張ることなく、しかも柱などの取付対象の内部に収容した状態で設置して、外観上のデザイン性と安全性を向上できるワイヤ張架構造を提供する。【解決手段】第１ワイヤ捕捉具３および第２ワイヤ捕捉具４と、両ワイヤ捕捉具３・４の間に張架されるワイヤ５とを備えている。各ワイヤ捕捉具３・４は、フランジ１１・１２と、フランジ１１・１２に対してねじ込み連結されるケース１３・１４と、ワイヤ５の端部を固定支持するワイヤ連結構造とを備えている。ケース１３・１４の周面にはねじ軸３７・４４と、ケース１３・１４をねじ込み操作する操作軸部３８・４５が形成され、フランジ１１・１２の面壁にはねじ穴３５が形成してある。ワイヤ張架状態において、各ケース１３・１４の操作軸部３８・４５を除く、ねじ軸３７・４４を含むケース部分が取付対象１の内部に収容されるようにする。【選択図】図１
0003185721.tif 000002
【実用新案登録請求の範囲】
【請求項１】
隣接する一対の取付対象（１）に固定される第１ワイヤ捕捉具（３）および第２ワイヤ捕捉具（４）と、両ワイヤ捕捉具（３・４）の間に張架されるワイヤ（５）とを備えており、
各ワイヤ捕捉具（３・４）は、取付対象（１）に設けた連結穴（７）の開口外面に締結具（１０）で固定されるフランジ（１１・１２）と、フランジ（１１・１２）に対してねじ込み連結されるケース（１３・１４）と、ワイヤ（５）の端部を固定支持するワイヤ連結構造とを備えており、
ケース（１３・１４）の周面にはねじ軸（３７・４４）と、ケース（１３・１４）をねじ込み操作する操作軸部（３８・４５）が形成され、フランジ（１１・１２）の面壁には前記ねじ軸（３７・４４）と噛合うねじ穴（３５）が形成されており、
取付対象（１）に固定したフランジ（１１・１２）のねじ穴（３５）にケース（１３・１４）のねじ軸（３７・４４）をねじ込むことにより、各ケース（１３・１４）が取付対象（１）とそれぞれ一体化されて、第１ワイヤ捕捉具（３）と第２ワイヤ捕捉具（４）との間にワイヤ（５）が張架されており、
前記ワイヤ張架状態において、各ケース（１３・１４）の操作軸部（３８・４５）を除く、ねじ軸（３７・４４）を含むケース（１３・１４）が取付対象（１）の内部に収容されていることを特徴とするワイヤ張架構造。
【請求項２】
ケース（１３・１４）の操作軸部（３８・４５）とフランジ（１１・１２）との間に、フランジ（１１・１２）の外面を覆うカバー体（１５・１６）が締結固定してある請求項１に記載のワイヤ張架構造。
【請求項３】
木製の取付対象（１）に、ケース（１３・１４）を収容する連結穴（７）が凹み形成されており、
フランジ（１１・１２）は、前記連結穴（７）の周囲複数個所にねじ込んだ締結具（１０）で取付対象（１）に固定してある請求項２に記載のワイヤ張架構造。
【請求項４】
金属製の中空枠体で形成した取付対象（１）の壁面に、ケース（１３・１４）を収容する連結穴（７）と、締結具（１０）を固定するための締結穴（５５）とが形成されており、
締結具（１０）が、前記締結穴（５５）にかしめ固定されて、フランジ（１１・１２）を取付対象（１）に固定するブラインドリベットで構成してある請求項２に記載のワイヤ張架構造。
【請求項５】
皿形の各締結具（１０）の操作頭部（１０ａ）を、フランジ（１１・１２）の面壁に凹み形成したテーパー状の締結座（３６）で受止めて、各締結具（１０）の操作頭部（１０ａ）がフランジ（１１・１２）の外郭線内に収められており、
カバー体（１５・１６）が、フランジ（１１・１２）の外端面を覆う平坦な主面壁（５１）と、フランジ（１１・１２）の周縁を覆う周囲壁（５２）とで皿状に構成してある請求項２から４のいずれかひとつに記載のワイヤ張架構造。
【請求項６】
操作軸部（３８・４５）が、ねじ軸（３７・４４）より大径の丸軸部（３９・４６）と、丸軸部（３９・４６）の対向周面に形成した一対の平行な工具係合部（４０・４７）とで構成されており、
各ケース（１３・１４）を対応するフランジ（１１・１２）にねじ込んだ状態において、工具係合部（４０・４７）が、フランジ（１１・１２）の外面に露出している請求項１から５のいずれかひとつに記載のワイヤ張架構造。
【請求項７】
第１ワイヤ捕捉具（３）におけるワイヤ連結構造が、ワイヤ（５）の一端を複数のボール（２０・２１）で挟持固定するボールチャックで構成されており、
第２ワイヤ捕捉具（４）におけるワイヤ連結構造が、ワイヤ（５）の他端に固定したエンド金具（２８）と、エンド金具（２８）を受止め支持する圧縮ばね（３０）およびスラストベアリング（３１）を含んで構成されており、
第２ワイヤ捕捉具（４）のケース（１４）のフランジ（１２）に対するねじ込み量を調整することにより、ワイヤ張架状態におけるワイヤ（５）の緊張度合を調整できる請求項１から６のいずれかひとつに記載のワイヤ張架構造。
【考案の詳細な説明】
【技術分野】
【０００１】
本考案は、店舗、住宅、公共施設等の設置場所においてインテリア要素として使用され、あるいはフェンスやパーティションなどの空間区分要素として使用されるワイヤ張架構造に関する。
【背景技術】
【０００２】
本考案のワイヤ張架構造に関して、本出願人は特許文献１に係るワイヤ緊張装置を先に提案している。そこでは、ワイヤの一端をワイヤ固定具を介して片方のブラケットに連結し、ワイヤの他端をワイヤ緊張具を介して他方のブラケットに連結している。ワイヤ固定具には、ワイヤを固定保持するボールチャックが設けてある。ワイヤ緊張具は、ブラケットに締結固定される第２筒と、第２筒に対してねじ込まれる第１筒とを備えており、両筒の内部に収容した圧縮コイル形のばねとスラストベアリングで、ワイヤに固定したエンド金具を受止めている。第１筒を第２筒に仮組みした状態で、ワイヤ緊張具から引き出したワイヤ端をボールチャックに連結し、この状態で第１筒を第２筒にねじ込んでばねを全圧縮させることにより、一対のブラケットの間にワイヤをたるみなく張渡すことができる。なお、特許文献１のワイヤ緊張装置は、例えば歩道に沿って設置した支柱の間に設けられる防護フェンス、あるいは手摺として使用される。
【先行技術文献】
【特許文献】
【０００３】
【特許文献１】特開平０８−１６６０４７号公報（段落番号００１１〜００１３、図１）
【考案の概要】
【考案が解決しようとする課題】
【０００４】
特許文献１のワイヤ緊張装置は、ワイヤ固定具およびワイヤ緊張具を一対のブラケットの対向面に固定するので、両金具がブラケットから大きく突出するのを避けられず、外観上の印象が武骨でいかめしいものになりやすい。そのため、ワイヤ緊張構造を屋外の防護フェンスあるいは手摺として使用するのには問題はないが、店舗や住宅等においてインテリア要素として使用する場合には、室内の雰囲気が損なわれてしまい、デザイン的に違和感を与えやすい。また、従来のワイヤ緊張構造を店舗や住宅等に適用した場合には、各金具が木製の柱や支柱から大きく突出するので安全性を確保するのが困難となる。これは、柱や支柱から大きく突出するワイヤ固定具やワイヤ緊張具が足で踏付けられ、あるいは各金具に全体重が作用する状態で乗られるなどのいたずらを受けることがあり、こうした場合に各金具の固定基端に大きな傾動モーメントが作用して、木製の柱および支柱が荷重に耐えられず破損してしまうからである。
【０００５】
本考案の目的は、店舗や住宅等においてワイヤ以外のワイヤ張架構造を出っ張ることなく、しかも柱などの取付対象の内部に収容した状態で設置して、外観上のデザイン性を向上でき、さらにワイヤ張架構造が踏付けにされるのを防止して安全性を向上できるワイヤ張架構造を提供することにある。
【課題を解決するための手段】
【０００６】
本考案に係るワイヤ張架構造は、隣接する一対の取付対象１に固定される第１ワイヤ捕捉具３および第２ワイヤ捕捉具４と、両ワイヤ捕捉具３・４の間に張架されるワイヤ５とを備えている。各ワイヤ捕捉具３・４は、取付対象１に設けた連結穴７の開口外面に締結具１０で固定されるフランジ１１・１２と、フランジ１１・１２に対してねじ込み連結されるケース１３・１４と、ワイヤ５の端部を固定支持するワイヤ連結構造とを備えている。ケース１３・１４の周面にはねじ軸３７・４４と、ケース１３・１４をねじ込み操作する操作軸部３８・４５が形成され、フランジ１１・１２の面壁にはねじ軸３７・４４と噛合うねじ穴３５が形成してある。取付対象１に固定したフランジ１１・１２のねじ穴３５にケース１３・１４のねじ軸３７・４４をねじ込むことにより、各ケース１３・１４を取付対象１とそれぞれ一体化して、第１ワイヤ捕捉具３と第２ワイヤ捕捉具４との間にワイヤ５を張架する。ワイヤ張架状態において、各ケース１３・１４の操作軸部３８・４５を除く、ねじ軸３７・４４を含むケース１３・１４が取付対象１の内部に収容されていることを特徴とする。
【０００７】
ケース１３・１４の操作軸部３８・４５とフランジ１１・１２との間に、フランジ１１・１２の外面を覆うカバー体１５・１６を締結固定する。
【０００８】
木製の取付対象１に、ケース１３・１４を収容する連結穴７を凹み形成する。フランジ１１・１２は、前記連結穴７の周囲複数個所にねじ込んだ締結具１０で取付対象１に固定する。
【０００９】
金属製の中空枠体で形成した取付対象１の壁面に、ケース１３・１４を収容する連結穴７と、締結具１０を固定するための締結穴５５を形成する。締結具１０は、締結穴５５にかしめ固定されて、フランジ１１・１２を取付対象１に固定するブラインドリベットで構成する。
【００１０】
皿形の各締結具１０の操作頭部１０ａを、フランジ１１・１２の面壁に凹み形成したテーパー状の締結座３６で受止めて、各締結具１０の操作頭部１０ａをフランジ１１・１２の外郭線内に収める。カバー体１５・１６は、フランジ１１・１２の外端面を覆う平坦な主面壁５１と、フランジ１１・１２の周縁を覆う周囲壁５２とで皿状に構成する。
【００１１】
操作軸部３８・４５は、ねじ軸３７・４４より大径の丸軸部３９・４６と、丸軸部３９・４６の対向周面に形成した一対の平行な工具係合部４０・４７とで構成する。各ケース１３・１４を対応するフランジ１１・１２にねじ込んだ状態において、工具係合部４０・４７をフランジ１１・１２の外面に露出させる。
【００１２】
第１ワイヤ捕捉具３におけるワイヤ連結構造を、ワイヤ５の一端を複数のボール２０・２１で挟持固定するボールチャックで構成する。第２ワイヤ捕捉具４におけるワイヤ連結構造は、ワイヤ５の他端に固定したエンド金具２８と、エンド金具２８を受止め支持する圧縮ばね３０およびスラストベアリング３１を含んで構成する。第２ワイヤ捕捉具４のケース１４のフランジ１２に対するねじ込み量を調整することにより、ワイヤ張架状態におけるワイヤ５の緊張度合を調整する。
【考案の効果】
【００１３】
本考案では、取付対象１の連結穴７の外面にフランジ１１・１２を締結固定し、各ワイヤ捕捉具３・４のケース１３・１４をフランジ１１・１２のねじ穴３５にねじ込んで、各ワイヤ捕捉具３・４の間にワイヤ５を張渡すようにした。また、ワイヤ張架状態において、各ケース１３・１４の操作軸部３８・４５を除く、ねじ軸３７・４４を含むケース部分を取付対象１の内部に収容して、ワイヤ５以外のワイヤ張架構造を、取付対象１に対して出っ張ることなく装着できるようにした。このように、各ワイヤ捕捉具３・４を取付対象１に対して出っ張ることなく装着すると、従来のワイヤ緊張装置において避けられなかった武骨でいかめしい外観上の印象を一掃して、ワイヤ張架構造の外観をシンプルですっきりとした印象にし、外観上のデザイン性を向上できる。従って、店舗や住宅等の室内において、インテリア要素や空間区分要素として使用するのに好適なワイヤ張架構造を提供できる。
【００１４】
また、各ワイヤ捕捉具３・４を取付対象１に対して出っ張ることなく装着するので、各ワイヤ捕捉具３・４に対するいたずらを極力防止できる。例えば、各ワイヤ捕捉具３・４を踏付けにして全体重が作用する状態で乗ろうとしても、各ワイヤ捕捉具３・４の出っ張り量が小さいので、安定した状態で足を踏ん張ることができず、従って、いたずらの試みを早期にあきらめさせることができる。また、各ワイヤ捕捉具３・４が踏付けにされたとしても、各ワイヤ捕捉具３・４の取付対象１からの出っ張り量が小さいので、ケース１３・１４に大きな傾動モーメントが作用する余地がなく、従って、取付対象１が踏付け外力を受けて破損するのを解消して、ワイヤ張架構造の安全性を向上できる。
【００１５】
操作軸部３８・４５とフランジ１１・１２との間に、フランジ１１・１２の外面を覆うカバー体１５・１６を締結固定すると、フランジ１１・１２を締結固定する締結具１０の外面をカバー体１５・１６で覆い隠すことができる。従って、締結具１０がいたずらされるのを、カバー体１５・１６で確実に防止できる。また、締結具１０の外面をカバー体１５・１６で覆い隠すので、ワイヤ張架状態における各ワイヤ捕捉具３・４の外観の印象をさらにシンプルですっきりとした印象にすることができる。
【００１６】
取付対象１が木製の柱や支柱で形成してある場合には、取付対象１に連結穴７を凹み形成して、この連結穴７の周囲複数個所にねじ込んだ締結具１０でフランジ１１・１２を取付対象１に固定する。また、各ワイヤ捕捉具３・４のケース１３・１４をフランジ１１・１２にねじ込むことにより、各ケース１３・１４を連結穴７内に収容することができる。このように、木製の取付対象１においては、木ねじなどの締結具１０をねじ込み操作してフランジ１１・１２を締結固定し、さらに、ケース１３・１４をフランジ１１・１２にねじ込むだけの簡単な操作で、各ワイヤ捕捉具３・４を取付対象１に固定することができる。従って、ワイヤ捕捉具３・４の取付時の手間を省いて、施工に要するコストを削減できる。また、店舗や住宅等において多用される木製の柱や支柱を利用して、ワイヤ捕捉具３・４を取付ることができる利点もある。
【００１７】
取付対象１が金属製の中空枠体で形成してある場合には、取付対象１の壁面に連結穴７と締結穴５５を形成しておくことにより、締結穴５５にかしめ固定したブラインドリベットで、フランジ１１・１２を取付対象１に固定することができる。このように、締結具１０としてブラインドリベットを使用すると、フランジ１１・１２を中空枠体からなる取付対象１に対して、強固にしかも分離不能に締結固定することができる。従って、フランジ１１・１２にねじ込み連結されたケース１３・１４を安定した状態で支持して、ワイヤ５を各ワイヤ捕捉具３・４の間に的確に張架することができる。
【００１８】
各締結具１０を締結した状態において、皿形に形成した操作頭部１０ａをフランジ１１・１２の外郭線内に収めるようにすると、フランジ１１・１２の外面に密着する状態でカバー体１５・１６をフランジ１１・１２に組むことができる。従って、カバー体１５・１６が取付対象１から大きく突出するのを避けて、先に説明したいたずらの試みを早期にあきらめさせることができる。また、フランジ１１・１２の外端面を覆う平坦な主面壁５１と、フランジ１１・１２の周縁を覆う周囲壁５２とで、カバー体１５・１６を皿状に形成すると、フランジ１１・１２の外面、および各締結具１０の操作頭部１０ａをカバー体１５・１６で覆って隠蔽できる。従って、ワイヤ張架状態における各ワイヤ捕捉具３・４の外観の印象をさらにシンプルですっきりとした印象にして、外観上のデザイン性を向上し、インテリア要素や空間区分要素として使用するのに適したワイヤ張架構造を提供できる。
【００１９】
各ケース１３・１４をフランジ１１・１２にねじ込んだ状態において、操作軸部３８・４５の工具係合部４０・４７がフランジ１１・１２の外面に露出させてあると、各ケース１３・１４の着脱操作を、ワイヤ５やフランジ１１・１２に邪魔されることもなく簡便に行える。これは、各ケース１３・１４を着脱する際には、操作軸部３８・４５の周囲の側からスパナを工具係合部４０・４７にあてがって、各ケース１３・１４を回動操作すればよく、スパナの回動動作を操作軸部３８・４５の周囲の自由空間で支障なく行えるからである。
【００２０】
第１ワイヤ捕捉具３におけるワイヤ連結構造をボールチャックで構成し、第２ワイヤ捕捉具４におけるワイヤ連結構造をエンド金具２８と、圧縮ばね３０と、スラストベアリング３１などで構成したワイヤ張架構造においては、次のようにしてワイヤ５の緊張度合を調整できる。第２ワイヤ捕捉具４のケース１４のフランジ１２に対するねじ込み量を調整することにより、ワイヤ張架状態におけるワイヤ５の緊張度合を調整する。ケース１４のフランジ１２に対するねじ込み量が増えると、ねじ込み量に比例して圧縮ばね３０が圧縮変形され、その分だけ同ばね３０の弾性力が増加する。また、圧縮ばね３０は、エンド金具２８を介してワイヤ５を受け止めているので、圧縮ばね３０の弾性力は最終的にワイヤ５に作用する。従って、ケース１４のフランジ１２に対するねじ込み量を調整することにより、ワイヤ５を各ワイヤ捕捉具３・４の間に適切な緊張状態で張渡すことができる。また、各ワイヤ捕捉具３・４の対向間隔に多少のばらつきがあるような場合でも、ケース１４のフランジ１２に対するねじ込み量を調整することでばらつきを吸収することができる利点もある。
【図面の簡単な説明】
【００２１】
【図１】本考案に係るワイヤ張架構造の縦断正面図である。
【図２】本考案に係るワイヤ張架構造を使ったワイヤの張架状態を示す図である。
【図３】本考案に係るワイヤ張架構造を構成する第２ワイヤ捕捉具の分解斜視図である。
【図４】本考案に係るワイヤ張架構造の分解図である。
【図５】本考案に係るワイヤ張架構造を構成する第１ワイヤ捕捉具の縦断正面図である。
【図６】本考案に係るワイヤ張架構造の別の実施例を示す第２ワイヤ捕捉具の分解斜視図である。
【図７】別の実施例に係る第２ワイヤ捕捉具の横断平面図である。
【図８】本考案に係るワイヤ張架構造のさらに別の実施例を示す第２ワイヤ捕捉具の分解斜視図である。
【図９】本考案に係るワイヤ張架構造のさらに別の実施例を示す要部の縦断正面図である。
【考案を実施するための形態】
【００２２】
（実施例）  図１ないし図５は本考案に係るワイヤ張架構造を、店舗あるいは住宅におけるインテリア要素として使用した実施例を示している。図２において、符号１は木製の柱からなる取付対象であって、隣接する取付対象１の間には木製の中間支柱２が立設してある。ワイヤ張架構造は、隣接する一対の取付対象１に固定される第１ワイヤ捕捉具３および第２ワイヤ捕捉具４と、両ワイヤ捕捉具３・４の間に張架されるワイヤ５とで構成してある。この実施例では、一対の取付対象１の間に４本のワイヤ５が多段状に張架されている場合を示している。各ワイヤ５は、中間支柱２に設けた支持穴６を左右に貫通する状態で張架してある。一対の取付対象１の対向面には、それぞれ連結穴７が凹み形成してあり（図１参照）、これらの連結穴７の内部に各ワイヤ捕捉具３・４の第１ケース１３および第２ケース１４が収容される。ワイヤ５の直径寸法は３ｍｍとした。
【００２３】
図１に示すように、第１ワイヤ捕捉具３は、取付対象１に締結具１０で固定される第１フランジ（フランジ）１１と、第１フランジ１１にねじ込み連結される第１ケース（ケース）１３と、第１フランジ１１の外面を覆うカバー体１５と、ワイヤ５の端部を固定支持するワイヤ連結構造とで構成する。第１ワイヤ捕捉具３におけるワイヤ連結構造は、ワイヤ５の一端を複数のボール２０・２１で挟持固定するボールチャックとして構成してある。図４に示すように、ボールチャックは、筒内面にテーパー面１８が形成してある丸筒状の第１ケース１３と、第１ケース１３の内部に収容されるホルダー１９と、ホルダー１９で保持される２組のスチール製のボール２０・２１と、ホルダー１９をテーパー面１８へ向かって移動付勢するばね２２などで構成する。第１ケース１３の開口端には、ばね２２の端部を受止めるキャップ２３がねじ込み固定してある。この実施例における締結具１０は、皿形の操作頭部（頭部）１０ａを備えた木ねじからなる。木ねじの換わりに、タッピンねじ（締結具）で第１フランジ１１あるいは第２フランジ１２を取付対象１に締結してもよい。
【００２４】
テーパー面１８に隣接する開口２４の側から、ワイヤ５の遊端をホルダー１９の内部に差込むと、ホルダー１９がばね２２に抗してキャップ２３の側へ移動し、ボール２０・２１が拡径方向へ移動されて、図１に示すように各ボール２０・２１の間にワイヤ５が捕捉される。この状態で、ワイヤ５の差込み力を解放すると、ホルダー１９がばね２２で開口２４の側へ押戻され、各ボール２０・２１がテーパー面１８に押されてワイヤ５の表面に食込むので、ワイヤ５を抜出し不能に固定できる。なお、図５に示すように、解除具２５を開口２４の側から第１ケース１３の内部に差込んで、ホルダー１９をばね２２に抗してキャップ２３の側へ移動させると、先の固定状態を開放してワイヤ５をボールチャックから取外すことができる。
【００２５】
図１、３および４に示すように、第２ワイヤ捕捉具４は、取付対象１に締結具１０で固定される第２フランジ（フランジ）１２と、第２フランジ１２にねじ込み連結される第２ケース（ケース）１４と、第２フランジ１２の外面を覆うカバー体１６と、ワイヤ５の端部を固定支持するワイヤ連結構造とで構成する。第２ワイヤ捕捉具４におけるワイヤ連結構造は、ワイヤ５端部にかしめ固定したエンド金具２８と、エンド金具２８を座金２９を介して受止める圧縮ばね３０と、圧縮ばね３０と第２ケース１４の内端に座金３２を介して配置されるスラストベアリング３１とで構成する。スラストベアリング３１は市販品である。丸筒状に形成した第２ケース１４の筒端には、ワイヤ５の出入りを許すワイヤ通口３３が形成してある。
【００２６】
第１フランジ１１は、鋼板を円板状に打抜いてバリを除去したのち、その中央にねじ穴３５を形成し、さらに、ねじ穴３５の周囲３個所にテーパー状の締結座３６を凹み形成して構成してある。ねじ穴３５の呼び径は１５ｍｍであり、その内直径は連結穴７の直径より僅かに小さく設定してある。第１フランジ１１の直径は３６ｍｍ、厚みは３ｍｍとした。第２フランジ１２は第１フランジ１１と同じ部品であって、その板面には、第１フランジ１１と同じねじ穴３５と締結座３６が形成してある。
【００２７】
第１ケース１３の周面には、先のねじ穴３５にねじ込まれるねじ軸３７と、第１ケース１３をねじ込み操作するための操作軸部３８が形成してある。ねじ軸３７の呼び径は１５ｍｍ、ねじピッチは１．０ｍｍとした。操作軸部３８は、ねじ軸３７より大径の丸軸部３９と、丸軸部３９の対向周面に形成した一対の平行な工具係合部４０とで構成してある。丸軸部３９の直径は１７ｍｍ、厚みは５．２９ｍｍとした。工具係合部４０は、丸軸部３９の対向周面に旋削加工を施して形成した断面コ字状の溝からなり、溝底の係合面に図示していない専用のスパナを係合することにより、第１ケース１３をねじ込み操作することができる。このように、工具係合部４０を断面コ字状の溝で構成すると、口部の厚みが薄い専用のスパナでないと工具係合部４０に差込み係合することができないので、第１ケース１３がいたずらで緩み操作されるのを防止できる。なお、工具係合部４０の溝幅は２．２ｍｍ、係合面の対向間隔は１４．８ｍｍとした。
【００２８】
第２ケース１４の周面には、第２フランジ１２のねじ穴３５にねじ込まれるねじ軸４４と、第２ケース１４をねじ込み操作するための操作軸部４５が形成してある。操作軸部４５は、ねじ軸４４より大径の丸軸部４６と、丸軸部４６の対向周面に形成した一対の平行な工具係合部４７とで構成してある。工具係合部４７は、丸軸部４６の対向周面に旋削加工を施して形成した断面コ字状の溝からなり、溝底の係合面に先の専用のスパナを係合することにより、第２ケース１４をねじ込み操作することができる。なお、第２ケース１４の丸軸部４６と工具係合部４７の形状および寸法は、第１ケース１３の丸軸部３９と工具係合部４０の形状および寸法と一致させてあり、従って１個の専用のスパナのみで、第１ケース１３および第２ケース１４を締緩操作することができる。
【００２９】
第１ワイヤ捕捉具３のカバー体１５は、第１フランジ１１の外端面を覆う平坦な主面壁５１と、同フランジ１１の周縁を覆う周囲壁５２とで皿状に構成してあり、主面壁５１の中央に第１ケース１３のねじ軸３７を通すための通口５３が形成してある。第２ワイヤ捕捉具４のカバー体１６は、第１ワイヤ捕捉具３のカバー体１５と同じ部品であって、主面壁５１と周囲壁５２とで皿状に構成してあり、主面壁５１の中央に第２ケース１４のねじ軸４４を通すための通口５３が形成してある。
【００３０】
以上のように構成したワイヤ張架構造は、以下に説明する要領で取付対象１に組付けて、隣接する取付対象１の間にワイヤ５を張渡す。まず、図４に示すようにワイヤ５に２個の座金２９・３２と、圧縮ばね３０と、スラストベアリング３１を組付け、ワイヤ５の遊端を第２ケース１４の内部側からワイヤ通口３３に通して、ワイヤ連結構造を構成する先の各部材２９〜３２を第２ケース１４の内部に収容しておく。次に、第１フランジ１１を一方の取付対象１の連結穴７の外面にあてがい、ねじ穴３５の中心と連結穴７の中心が一致する状態で、同フランジ１１を３個の締結具１０で取付対象１に締結する。
【００３１】
締結具１０を最後までねじ込んだ状態では、図１に示すように、締結具１０の操作頭部１０ａはテーパー状の締結座３６で受止められて、第１フランジ１１の外郭線内に収まっている。同様にして、第２フランジ１２を他方の取付対象１の連結穴７の外面にあてがい、ねじ穴３５の中心と連結穴７の中心が一致する状態で、同フランジ１２を３個の締結具１０で取付対象１に締結する。締結具１０を最後までねじ込んだ状態では、図１に示すように、締結具１０の操作頭部１０ａはテーパー状の締結座３６で受止められて、第２フランジ１２の外郭線内に収まっている。
【００３２】
次に、第１ケース１３のねじ軸３７にカバー体１５を挿通した状態で、手動によってねじ軸３７を第１フランジ１１のねじ穴３５にねじ込む。さらに、ねじ軸３７のねじ穴３５に対するねじ込み操作力が大きくなった時点で、工具係合部４０に係合した専用のスパナで第１ケース１３をねじ込むことにより、第１ワイヤ捕捉具３を第１フランジ１１を介して取付対象１に固定する。この固定状態においては、ねじ軸３７を含むケース部分が取付対象１の連結穴７に収容されて、第１ケース１３の大半の部分が取付対象１の内部に埋設された状態になっている。また、工具係合部４０を含む操作軸部３８のみが第１フランジ１１の外面に露出している。カバー体１５は、その通口５３の周縁壁が操作軸部３８で挟持固定されて、第１フランジ１１の外面と締結具１０の操作頭部１０ａを完全に覆い隠している。
【００３３】
第１ケース１３を第１フランジ１１に固定したのち、第２ケース１４のねじ軸４４にカバー体１６を挿通した状態で、ねじ軸４４を第２フランジ１２にねじ込む。このとき、ねじ軸４４の先端に位置するねじ山の数条のみを、第２フランジ１２のねじ穴３５にねじ込んでおく。次に、ワイヤ５の遊端を第１ケース１３の開口２４からケース内に差込んで、ワイヤ周面にボール２０・２１を食込ませて、図１に示すように、ワイヤ５を第１ワイヤ捕捉具３と連結する。この状態の第２ケース１４を手動でねじ込み操作し、手動によるねじ込み操作が困難になった時点で、工具係合部４７に係合した専用のスパナで第２ケース１４をねじ込むことにより、第２ワイヤ捕捉具４を第２フランジ１２を介して取付対象１に固定する。
【００３４】
上記の固定状態においては、ワイヤ５が第１ワイヤ捕捉具３と第２ワイヤ捕捉具４との間に、所定の引っ張り力が付与された状態で張架されている。また、ねじ軸４４を含むケース部分が取付対象１の連結穴７に収容されて、第２ケース１４の大半の部分が取付対象１の内部に埋設された状態になっており、工具係合部４７を含む操作軸部４５のみが第２フランジ１２の外面に露出している。カバー体１６は、その通口５３の周縁壁が操作軸部４５で挟持固定されて、第２フランジ１２の外面と締結具１０の操作頭部１０ａを完全に覆い隠している。
【００３５】
第２ケース１４がねじ込み操作される過程では、スラストベアリング３１が第２ケース１４のねじ込み動作を吸収して、ワイヤ５が捻り操作されるのを防止する。そのため、第２ケース１４をねじ込み操作する際に、ワイヤ５の撚り構造が破壊され、あるいはワイヤ５が過剰に撚られるのを解消して、ワイヤ５を常に適正な状態で張架することができる。第２ケース１４を完全にねじ込んだ状態の圧縮ばね３０は、全体が全圧縮されるか、その直前の状態にまで圧縮されていて、圧縮ばね３０の弾性力に相当する緊張力がワイヤ５に作用している。従って、第２ケース１４の第２フランジ１２に対するねじ込み量を調整することにより、ワイヤ張架状態におけるワイヤ５の緊張度合を調整できる。ワイヤ５の緊張力は、座金２９・３２と圧縮ばね３０を介してスラストベアリング３１が受止めている。以後、上記の手順を繰返し行うことにより、隣接する取付対象１の間に４本のワイヤ５を多段状に張架することができる。
【００３６】
ワイヤ５を一対のワイヤ捕捉具３・４の間に張架した状態においては、先に説明したように、ねじ軸３７・４４を含むケース部分が取付対象１の内部に収容されて、カバー体１５・１６と各ケース１３・１４の操作軸部３８・４５のみが取付対象１の外面に露出しているだけである。つまり、ワイヤ５以外のワイヤ張架構造は、取付対象１に対して大きく出っ張ることなく固定されている。従って、従来のワイヤ張架構造に比べて、外観上のデザイン性を向上して、ワイヤ張架構造によって室内の雰囲気が損なわれるのを一掃できる。また、各ワイヤ捕捉具３・４が取付対象１に対して出っ張らない状態で固定されるので、各ワイヤ捕捉具３・４が踏付けにされるのを極力防止できる。また、各ワイヤ捕捉具３・４が踏付けにされたとしても、カバー体１５・１６や各ケース１３・１４に大きな傾動モーメントが作用する余地がないので、木製の取付対象１が踏付け外力を受けて破損するおそれがなく、ワイヤ張架構造の安全性を向上できる。
【００３７】
上記の実施例では、木製の取付対象１の前後厚み寸法が、第１フランジ１１および第２フランジ１２の直径寸法に比べて充分に大きい場合について説明した。しかし、取付対象１の前後厚み寸法が、各フランジ１１・１２の直径寸法より小さい場合には、３個の締結具１０を取付対象１に対して確実にねじ込むことが困難になる。あるいは、取付対象１にねじ込んだ締結具１０の締結強度が不足し、木製の取付対象１が破損するおそれがある。こうした場合であっても、第１フランジ１１および第２フランジ１２を取付対象１に対して的確に固定し、必要な締結強度を確保するために、各フランジ１１・１２およびカバー体１５・１６は以下のように変更することができる。
【００３８】
図６および図７は第２ワイヤ捕捉具４を示しており、その第２フランジ１２とカバー体１６のそれぞれを縦長四角形状に形成して、木製の取付対象１の前後厚み寸法が小さい場合でも対応できるようにした。縦長四角形状に形成した第２フランジ１２の中央にはねじ穴３５が形成され、ねじ穴３５より上側の板面と、ねじ穴３５より下側の板面のそれぞれに、締結座３６を斜めに位置ずれした状態で２個ずつ形成するようにした。カバー体１６の前後幅寸法は取付対象１の前後厚み寸法と同じに設定してあり、第２フランジ１２の前後幅寸法は取付対象１の前後厚み寸法より小さく設定してある。図示していないが、第１ワイヤ捕捉具３の第１フランジ１１とカバー体１５は、第２ワイヤ捕捉具４の第２フランジ１２とカバー体１６と同形状で同じ寸法に設定してある。他は先の実施例と同じであるので、同じ部材に同じ符号を付してその説明を省略する。
【００３９】
図８および図９は、取付対象１が金属製の中空枠体で形成してある場合のワイヤ張架構造の実施例を示す。そこでは、取付対象１の壁面に、第２ケース１４を収容する連結穴７と、締結具１０を固定するための３個の締結穴５５が形成してある。締結具１０は、頭部形状が皿形に形成してある市販のブラインドリベットからなり、先の締結穴５５に挿通したスリーブ５６の端部をマンドレル５７で拡開変形させることにより、第２フランジ１２を取付対象１の壁面に固定することができる。第２フランジ１２を締結具１０で取付対象１にかしめ固定した状態では、皿形の頭部１０ａがテーパー状の締結座３６で受止められて、第２フランジ１２の外郭線内に収まっている。
【００４０】
図示していないが、第１ワイヤ捕捉具３の第１フランジ１１は、第２フランジ１２と同様にして、ブラインドリベットからなる締結具１０で、取付対象１に設けた３個の締結穴５５にかしめ固定される。第１ケース１３と第２ケース１４を、各フランジ１１・１２を介して金属製の取付対象１に装着した状態においては、ねじ軸３７・４４を含むケース部分が取付対象１の連結穴７と中空の枠内空間に収容されて、各ケース１３・１４の大半の部分が取付対象１の内部に収容された状態になっている。他は先の実施例と同じであるので、同じ部材に同じ符号を付してその説明を省略する。
【００４１】
上記の実施例では、工具係合部４０・４７を、一対の平行な溝で構成したがその必要はない。例えば、丸軸部３９・４６の周面に形成した径方向の穴や、丸軸部３９・４６の端面に形成した軸方向の穴で工具係合部４０・４７を構成し、これらの穴にフックスパナ、ピンスパナ、フェイスピンスパナ、あるいはピンを係合して、ケース１３・１４を回動操作することができる。操作頭部１０ａの形状は皿形状である必要はなく、なべ頭形や丸頭形などであってもよい。その場合には、締結座３６の凹み深さを操作頭部１０ａの厚み寸法と一致させておくことにより、各締結具１０の操作頭部１０ａをフランジ１１・１２の外郭線内に収めることができる。
【００４２】
本考案に係るワイヤ張架構造は、インテリア要素として使用する以外に、公共施設のロビーにおけるフェンスやパーティションなどの空間区分要素として使用することができる。また、エスカレータの手摺の外に配置される落下防止用のフェンスとして使用することができる。さらに、ガラス戸や窓などの開口枠の上部に、本考案に係るワイヤ張架構造を配置して、ワイヤ５でカーテンを開閉可能に支持することができる。その場合には、カーテンの上部に、リングやフックなどの支持具を一定間隔おきに装着しておき、これらの支持具をワイヤ５で移行案内するとよい。このように、ワイヤ張架構造をカーテンの支持構造として使用する場合には、各ワイヤ捕捉具３・４が取付対象１から大きく出っ張るのを防止して、カーテンを取付対象１に密着する状態で閉じ操作することができる。
【符号の説明】
【００４３】
１  取付対象
３  第１ワイヤ捕捉具
４  第２ワイヤ捕捉具
５  ワイヤ
７  連結穴
１０  締結具
１１  第１フランジ（フランジ）
１２  第２フランジ（フランジ）
１３  第１ケース（ケース）
１４  第２ケース（ケース）
１５  カバー体
１６  カバー体
３５  ねじ穴
３６  締結座
３７  第１ケースのねじ軸
３８  第１ケースの操作軸部
４４  第２ケースのねじ軸
４５  第２ケースの操作軸部
【図１】
0003185721.tif 000003
【図２】
0003185721.tif 000004
【図３】
0003185721.tif 000005
【図４】
0003185721.tif 000006
【図５】
0003185721.tif 000007
【図６】
0003185721.tif 000008
【図７】
0003185721.tif 000009
【図８】
0003185721.tif 000010
【図９】
0003185721.tif 000011